(57)【要約】【課題】固体脂に対する洗浄力に優れる繊維製品用液体洗浄剤組成物の提供。【解決手段】（Ａ）成分：下記一般式（ａ）（式中、Ｒ１は炭素数６〜２０の１価の脂肪族炭化水素基）で表されるソルビタン脂肪酸エステル、および、（Ｂ）成分：Ｒ２−Ｘ−［（ＥＯ）ｓ／（ＰＯ）ｔ］−Ｒ３（Ｒ２は炭素数８〜１８の１価の炭化水素基、ＸはＯ、ＣＯＯ又はＣＯＮＨ、Ｒ３は水素原子、炭素数１〜６のアルキル基又は炭素数２〜６のアルケニル基、ＥＯはオキシエチレン基、ｓはＥＯの平均繰返し数を表し２〜２０の数、ＰＯはオキシプロピレン基、ｔはＰＯの平均繰返し数を表し０〜６の数）で表される化合物を含有し、（Ａ）成分／（Ｂ）成分で表される質量比が３以下であり、水を３０質量％以上含む、繊維製品用液体洗浄剤組成物。［化１］2019001837.tif 000009【選択図】なし【特許請求の範囲】
【請求項１】
（Ａ）成分：下記一般式（ａ）で表されるソルビタン脂肪酸エステル、および
（Ｂ）成分：下記一般式（ｂ）で表される化合物を含有し、
前記（Ａ）成分／前記（Ｂ）成分で表される質量比が３以下であり、水を３０質量％以上含む、繊維製品用液体洗浄剤組成物。
【化１】
2019001837.tif 000007
［式中、Ｒ１は炭素数６〜２０の１価の脂肪族炭化水素基である。］
【化２】
2019001837.tif 000008
［式中、Ｒ２は炭素数８〜１８の１価の炭化水素基であり、ＸはＯ、ＣＯＯ又はＣＯＮＨであり、Ｒ３は水素原子、炭素数１〜６のアルキル基又は炭素数２〜６のアルケニル基であり、ＥＯはオキシエチレン基であり、ｓはＥＯの平均繰返し数を表し２〜２０の数であり、ＰＯはオキシプロピレン基であり、ｔはＰＯの平均繰返し数を表し０〜６の数である。］
【請求項２】
前記（Ａ）成分を０．０５〜１０質量％含む、請求項１に記載の繊維製品用液体洗浄剤組成物。
【発明の詳細な説明】
【技術分野】
【０００１】
本発明は、繊維製品用液体洗浄剤組成物に関する。
【背景技術】
【０００２】
衣類の汚れの中でも、タオルの悪臭の原因となる残存皮脂や襟袖の皮脂汚れは、消費者が落としたい汚れの上位に挙げられる。
例えば特許文献１の実施例には、皮脂汚れの洗浄において、高級アルコールにエチレンオキシド（ＥＯともいう。）を２〜５モル付加した短ＥＯ鎖長のポリオキシアルキレン型ノニオン界面活性剤が有効であることが示されている。
【先行技術文献】
【特許文献】
【０００３】
【特許文献１】特開２００２−１６７６００号公報
【発明の概要】
【発明が解決しようとする課題】
【０００４】
しかしながら、特許文献１に記載の方法は必ずしも充分とは言えない。例えば、ヒト由来の皮脂のうち液体脂に比べて固体脂（常温で固体である脂）は従来の方法でも落ち難く、固体脂に対する洗浄性能の向上が望まれる。
本発明は、固体脂に対する洗浄力に優れる繊維製品用液体洗浄剤組成物の提供を目的とする。
【課題を解決するための手段】
【０００５】
本発明は以下の態様を有する。
［１］（Ａ）成分：下記一般式（ａ）で表されるソルビタン脂肪酸エステル、および（Ｂ）成分：下記一般式（ｂ）で表される化合物を含有し、前記（Ａ）成分／前記（Ｂ）成分で表される質量比が３以下であり、水を３０質量％以上含む、繊維製品用液体洗浄剤組成物。
一般式（ａ）において、Ｒ１は炭素数６〜２０の１価の脂肪族炭化水素基である。
一般式（ｂ）において、Ｒ２は炭素数８〜１８の１価の炭化水素基であり、ＸはＯ、ＣＯＯ又はＣＯＮＨであり、Ｒ３は水素原子、炭素数１〜６のアルキル基又は炭素数２〜６のアルケニル基であり、ＥＯはオキシエチレン基であり、ｓはＥＯの平均繰返し数を表し２〜２０の数であり、ＰＯはオキシプロピレン基であり、ｔはＰＯの平均繰返し数を表し０〜６の数である。
【０００６】
【化１】
2019001837.tif 000002
【０００７】
【化２】
2019001837.tif 000003
【０００８】
［２］前記（Ａ）成分を０．０５〜１０質量％含む、［１］の繊維製品用液体洗浄剤組成物。
【０００９】
［３］繊維製品用液体洗浄剤組成物の総質量に対して、前記（Ｂ）成分の含有量が１〜３０質量％である、［１］または［２］の繊維製品用液体洗浄剤組成物。
［４］繊維製品用液体洗浄剤組成物の総質量に対して、界面活性剤の総含有量が１．５〜５０質量％である、［１］または［２］の繊維製品用液体洗浄剤組成物。
［５］水以外の溶剤を含み、繊維製品用液体洗浄剤組成物の総質量に対して、溶剤の総含有量が０．５〜３０質量％である、［１］または［２］の繊維製品用液体洗浄剤組成物。
【発明の効果】
【００１０】
本発明の繊維製品用液体洗浄剤組成物（以下、単に液体洗浄剤ともいう。）は、固体脂に対する洗浄力に優れる。
【発明を実施するための形態】
【００１１】
（液体洗浄剤）
本発明の液体洗浄剤は、（Ａ）成分：特定のソルビタン脂肪酸エステル、および（Ｂ）成分：特定のポリオキシアルキレン型ノニオン界面活性剤を含有する。
＜（Ａ）成分＞
（Ａ）成分は、下記一般式（ａ）で表されるソルビタン脂肪酸エステルである。
【００１２】
【化３】
2019001837.tif 000004
【００１３】
一般式（ａ）において、Ｒ１は炭素数６〜２０の１価の脂肪族炭化水素基である。Ｒ１はアルキル基でもよく、不飽和結合を有していてもよい。Ｒ１の炭素数は７〜１７が好ましく、９〜１５がより好ましい。Ｒ１はアルキル基が好ましい。
一般式（ａ）で表されるソルビタン脂肪酸エステルとして、例えば、ラウリン酸ソルビタン、カプリル酸ソルビタン、カプリン酸ソルビタン等が挙げられ、ラウリン酸ソルビタンが好ましい。市販品としては、ＳＰＡＮ  ２０、ＳＰＡＮ  ４０、ＳＰＡＮ  ６０、ＳＰＡＮ  ８０（いずれも製品名、クローダジャパン社製）、ノニオンＬＰ−２０Ｒ、ノニオンＯＰ−８０Ｒ（いずれも製品名、日油社製）、ソルボンＳ−１０Ｅ（製品名、東邦化学社製）等が挙げられる。
【００１４】
液体洗浄剤の総質量に対して、（Ａ）成分の含有量は０．０５〜１０質量％が好ましく、０．１〜８質量％がより好ましく、０．３〜５質量％がさらに好ましい。上記範囲の下限値以上であると固体脂に対する洗浄力に優れ、上限値以下であると液安定性に優れる。
【００１５】
＜（Ｂ）成分＞
（Ｂ）成分は、下記一般式（ｂ）で表される化合物であり、ノニオン界面活性剤である。（Ｂ）成分は、常法により製造されてもよいし、市販品を用いてもよい。
【００１６】
【化４】
2019001837.tif 000005
【００１７】
一般式（ｂ）において、Ｒ２は炭素数８〜１８の１価の炭化水素基である。Ｒ２の炭素数は１０〜１８が好ましい。
Ｒ２は、直鎖でも分岐鎖でもよく、環状の構造を含んでもよい。Ｒ２は、飽和でもよく、不飽和結合を有していてもよい。
Ｒ２としては、脂肪族炭化水素基が好ましく、直鎖もしくは分岐鎖のアルキル基又は直鎖もしくは分岐鎖のアルケニル基がより好ましい。
（Ｂ）成分において、Ｒ２の炭素数が均一（単一鎖長）であってもよく、（Ｂ）成分が、Ｒ２の炭素数が異なる（複数の鎖長の）化合物の混合物であってもよい。
【００１８】
ＸはＯ、ＣＯＯまたはＣＯＮＨであり、ＯまたはＣＯＯが好ましい。
Ｒ３は水素原子、炭素数１〜６のアルキル基又は炭素数２〜６のアルケニル基である。Ｒ３としてのアルキル基の炭素数は１〜３が好ましい。Ｒ３としてのアルケニル基の炭素数は２又は３が好ましい。
ＥＯはオキシエチレン基であり、ｓはＥＯの平均繰返し数（即ち、エチレンオキシドの平均付加モル数）を表す。ｓは２〜２０の数であり、２〜９の数が好ましく、３〜７の数がより好ましい。ｓの値が上記の範囲内であると洗浄力および液安定性に優れる。
ＰＯはオキシプロピレン基であり、ｔはＰＯの平均繰返し数（即ち、プロピレンオキシドの平均付加モル数）を表す。ｔは０〜６の数であり、０〜３の数が好ましい。ｔの値が上記の範囲内であると洗浄力および液安定性に優れる。
【００１９】
ｔが０超の場合、つまり、エチレンオキシド及びプロピレンオキシドの両方が付加された付加体を含む場合、前記付加体におけるエチレンオキシド及びプロピレンオキシドの付加方法は、特に限定されず、例えばランダム付加でも、ブロック付加でもよい。
ブロック付加方法としては、例えば、エチレンオキシドを付加した後、プロピレンオキシドを付加する方法、プロピレンオキシドを付加した後、エチレンオキシドを付加する方法等が挙げられる。
エチレンオキシド又はプロピレンオキシドの付加モル数分布は特に限定されない。例えば、アルカリ触媒を用いて、高級アルコール等にエチレンオキシドやプロピレンオキシドを付加させると、エチレンオキシド又はプロピレンオキシドの付加モル数分布が比較的広くなる。また、特公平６−１５０３８号公報に記載の金属イオンを添加した酸化マグネシウム等のアルコキシル化触媒を用いて、高級アルコール等にエチレンオキシドやプロピレンオキシドを付加させると、エチレンオキシド又はプロピレンオキシドの付加モル数分布が比較的狭くなる。（Ｂ）成分としてこれらの一方または両方を用いることができる。
【００２０】
ＸがＯである化合物（アルキル（アルケニル）エーテル型ノニオン界面活性剤）、又はＸがＣＯＯでありＲ３が炭素数１〜６のアルキル基または炭素数２〜６のアルケニル基である化合物（アルキル（アルケニル）エステル型ノニオン界面活性剤）が好ましい。
ＸがＯである場合、Ｒ２の炭素数は、洗浄力がより優れる点から１０〜１８が好ましく、１２〜１６がより好ましい。Ｒ３は水素原子が好ましい。ｓは２〜２０の数であり、洗浄力と液安定性により優れる点から２〜９の数が好ましく、３〜７の数がより好ましい。
【００２１】
ＸがＣＯＯである場合、Ｒ２の炭素数は９〜１８が好ましく、洗浄力がより優れる点から１１〜１８がより好ましい。Ｒ３は炭素数１〜６のアルキル基が好ましく、炭素数１〜３のアルキル基がより好ましい。ｓは１５〜２０の数が好ましい。
ＸがＣＯＯである化合物としては、Ｒ３が炭素数１〜６のアルキル基であり、ｔが０である化合物、すなわちポリオキシエチレン脂肪酸アルキルエステルが好ましく、Ｒ３がメチル基であるポリオキシエチレン脂肪酸メチルエステル（以下、「ＭＥＥ」と記載することがある）がより好ましい。
【００２２】
ＸがＯまたはＣＯＯである化合物としては、例えば、三菱化学社製の商品名ダイヤドール（Ｃ１３、Ｃは炭素数を示し以下同様である）、Ｓｈｅｌｌ社製の商品名Ｎｅｏｄｏｌ（Ｃ１２／Ｃ１３）、Ｓａｓｏｌ社製の商品名Ｓａｆｏｌ２３（Ｃ１２／Ｃ１３）等のアルコールに対して、１２モル相当又は１５モル相当のエチレンオキシドを付加したノニオン界面活性剤；Ｐ＆Ｇ社製の商品名ＣＯ−１２１４やＣＯ−１２７０等の天然アルコールに対して、１２モル相当又は１５モル相当のエチレンオキシドを付加したノニオン界面活性剤；ブテンを３量化して得られるＣ１２アルケンをオキソ法に供して得られるＣ１３アルコールに対して、７モル相当のエチレンオキシドを付加したノニオン界面活性剤（ＢＡＳＦ社製、商品名Ｌｕｔｅｎｓｏｌ  ＴＯ７）；ペンタノールをガーベット反応に供して得られるＣ１０アルコールに対して、６モル相当、７モル相当又は９モル相当のエチレンオキシドを付加したノニオン界面活性剤（ＢＡＳＦ社製、商品名Ｌｕｔｅｎｓｏｌ  ＸＡ６０、Ｌｕｔｅｎｓｏｌ  ＸＬ７０、Ｌｕｔｅｎｓｏｌ  ＸＰ９０）；炭素数１２〜１４の第２級アルコールに対して、９モル相当又は１５モル相当のエチレンオキシドを付加したノニオン界面活性剤（日本触媒社製、商品名ソフタノール９０、ソフタノール１５０）；ヤシ脂肪酸メチル（ラウリン酸／ミリスチン酸＝８／２）に対して、アルコキシル化触媒を用いて、１５モル相当のエチレンオキシドを付加したノニオン界面活性剤（ポリオキシエチレンヤシ脂肪酸メチルエステルＥＯ１５モル）等が挙げられる。
【００２３】
液体洗浄剤の総質量に対して、（Ｂ）成分の含有量は１質量％以上が好ましく、２質量％以上がより好ましく、３質量％以上がさらに好ましい。上記範囲の下限値以上であると固体脂に対する洗浄力に優れる。（Ｂ）成分の含有量の上限値は特に限定されないが、使用性の観点からは５０質量％以下が好ましく、３０質量％以下がより好ましい。
液体洗浄剤において、（Ａ）成分／（Ｂ）成分で表される両成分の含有量の質量比は３以下が好ましく、２以下がより好ましい。３以下であると液安定性に優れる。
（Ａ）成分／（Ｂ）成分の下限値は特に限定されず、０超であり、０．００１以上が好ましく、０．０１以上がより好ましい。
【００２４】
＜水＞
液体洗浄剤は、製造時のハンドリングのし易さ、洗濯に使用する際の水への溶解性等の観点から、溶媒として水を含有することが好ましい。
液体洗浄剤の総質量に対して、水の含有量は３０質量％以上が好ましく、５０質量％以上がより好ましく、６０質量％以上がさらに好ましく、８０質量％以上が特に好ましい。水の含有量が上記範囲の下限値以上であると、水を用いた洗濯において、液体洗浄剤の水（洗濯液）への溶解性が優れる。
水の含有量の上限値は特に限定されない。例えば、９９．９質量％以下が好ましく、９８．９質量％以下がより好ましく、９８質量％以下がさらに好ましい。
【００２５】
＜任意成分＞
本発明の液体洗浄剤には、本発明の効果を損なわない範囲で必要に応じて、上述した成分以外の任意成分が配合されてもよい。
任意成分としては、特に限定されず、液体洗浄剤に配合される成分を適宜使用できる。
例えば（Ａ）成分又は（Ｂ）成分のいずれにも該当しない他の界面活性剤、水以外の溶剤、ハイドロトロープ剤、ｐＨ調整剤、漂白成分、金属捕捉成分、ラジカルトラップ剤、香料などが挙げられる。
（Ａ）成分と（Ｂ）成分と水と任意成分の合計が１００質量％（液体洗浄剤の総質量）である。
液体洗浄剤に対して、（Ａ）成分および（Ｂ）成分を含む界面活性剤の総含有量が１．５〜５０質量％であることが好ましく、２〜４０質量％がより好ましく、３〜３０質量％がさらに好ましい。
界面活性剤の総含有量に対して、（Ａ）成分と（Ｂ）成分の合計量が２０〜１００質量％であることが好ましく、３０〜１００質量％がより好ましく、５０〜１００質量％がさらに好ましい。
【００２６】
［溶剤］
水以外の溶剤の例としては、炭素数２〜４の１価アルコール、炭素数２〜４の多価アルコール、又はグリコールエーテル系溶剤が挙げられる。
炭素数２〜４の１価アルコールの例としては、エタノール、１−プロパノール、２−プロパノール、１−ブタノール等が挙げられる。
炭素数２〜４の多価アルコールの例としては、エチレングリコール、プロピレングリコール、ブチレングリコール、グリセリン等が挙げられる。
グリコールエーテル系溶剤の例としては、一般式（ｃ）：Ｒ４−（ＯＲ５）ｒＯＨ（ただし、式中、Ｒ４は、炭素数１〜６のアルキル基又はフェニル基である。Ｒ５は、炭素数２〜４のアルキレン基である。ｒは、ＯＲ５の平均繰り返し数を示し、１〜５である。）で表される化合物が挙げられる。
一般式（ｃ）で表される化合物の例としては、エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノフェニルエーテル、ジエチレングリコールモノブチルエーテル等が挙げられる。
溶剤は１種を単独で用いてもよく、２種以上を組み合わせて用いてもよい。
液体洗浄剤が溶剤を含む場合、液体洗浄剤の総質量に対して、溶剤の含有量は０．５質量％以上が好ましく、１質量％以上がより好ましい。溶剤の含有量が上記範囲の下限値以上であると、液安定性および外観により優れる。溶剤の含有量の上限は特に限定されないが、臭気の点で、液体洗浄剤の総質量に対して３０質量％以下が好ましく、１５質量％以下がより好ましく、１０質量％以下がさらに好ましい。
【００２７】
［ｐＨ調整剤］
ｐＨ調整剤の例としては、塩酸、硫酸、リン酸、水酸化ナトリウム、水酸化カリウム、モノエタノールアミン、ジエタノールアミン、トリエタノールアミン、アンモニア等が挙げられる。
液体洗浄剤のｐＨ（２５℃）は、５〜８が好ましく、６〜７．５がより好ましい。必要に応じてｐＨ調整剤を添加する。
なお、液体洗浄剤（２５℃に調温）のｐＨは、ｐＨメーター（東亜ディーケーケー株式会社製、「ＨＭ−３０Ｇ」）等により測定される値を示す。
【００２８】
［香料］
香料としては、香料原料単体、又は、香料原料と香料用溶剤と香料安定化剤等とからなる香料組成物を含むものであり、衣料用などの液体洗浄剤、液体漂白洗浄剤、液体漂白剤等に通常用いられる香料を配合することができる。液体洗浄剤中、香料の含有量は、液体洗浄剤の総質量に対して、０．０１〜１．０質量％であることが好ましい。
【００２９】
［その他］
本発明の液体洗浄剤は、上記成分以外に、衣料用液体洗浄剤組成物に通常用いられる任意成分を含有してもよい。
任意成分としては、例えばキレート剤、ラジカルトラップ剤、緩衝剤、プロテアーゼ等の酵素、ジブチルヒドロキシトルエン等の酸化防止剤、安息香酸ナトリウム等の防腐剤、塩化カルシウム、乳酸ナトリウム等の酵素安定化剤、色素等の着色剤等が挙げられる。
【００３０】
＜液体洗浄剤の製造方法＞
液体洗浄剤の製造方法は特に制限されず、従来公知の製造方法によって製造される。
例えば、（Ａ）成分と（Ｂ）成分と、必要に応じて配合される任意成分とを、溶媒（例えばイオン交換水等の水）に混合して溶解し、必要に応じて、所定のｐＨになるように調整して、製造できる。
【００３１】
＜液体洗浄剤の使用方法＞
液体洗浄剤の使用方法は、例えば、液体洗浄剤を洗濯時に被洗物と一緒に水に投入する方法、液体洗浄剤を予め水に溶解して調製される液体洗浄剤水溶液に被洗物を浸漬する方法等が挙げられる。また液体洗浄剤を被洗物に直接塗布して一定時間放置し、その後、水（洗濯液）を用いた洗濯を行ってもよい（塗布洗浄）。
本発明の液体洗浄剤は繊維製品の洗濯に用いられる。被洗物の例としては、例えば、衣類、布巾、タオル類、シーツ等が挙げられる。
洗濯に用いる水（洗濯液）中の液体洗浄剤の含有量は、特に限定されない。水（洗濯液）に対する液体洗浄剤の添加量は、例えば、水１０Ｌ当たり、液体洗浄剤０．１〜２０ｍＬとされる。
【実施例】
【００３２】
以下に実施例を用いて本発明をさらに詳しく説明するが、本発明はこれら実施例に限定されるものではない。本実施例において「％」は特に断りがない限り「質量％」を示す。
本実施例において使用した原料は下記の通りである。
＜（Ａ）成分＞
Ａ−１：ラウリン酸ソルビタン（式（ａ）においてＲ１が炭素数１１のアルキル基である化合物）。
Ａ−２：カプリル酸ソルビタン（式（ａ）においてＲ１が炭素数７のアルキル基である化合物）。
＜（Ｂ）成分＞
Ｂ−１：炭素数１２のアルコール（Ｃ１２ＯＨ）と炭素数１４のアルコール（Ｃ１４ＯＨ）との混合物（質量比Ｃ１２ＯＨ／Ｃ１４ＯＨ＝７５／２５）に、平均６モルのエチレンオキシドが付加されたもの（式（ｂ）中、Ｒ２が炭素数１２のアルキル基または炭素数１４のアルキル基であり、ＸがＯであり、ｓが６であり、ｔが０であり、Ｒ３が水素原子である化合物）、ライオン株式会社製、商品名「レオックスＣＬ−６０」。）
Ｂ−２：炭素数１２の第２級アルコールと炭素数１４の第２級アルコールの混合物に、平均５モルのエチレンオキシドを付加した化合物（式（ｂ）中、Ｒ２が炭素数１２の第２級アルキル基または炭素数１４の第２級アルキル基であり、ＸがＯ、ｓが５、ｔが０、Ｒ３が水素原子である化合物）、日本触媒社製、商品名「ソフタノール５０」。
Ｂ−３：炭素数１２のアルコール（Ｃ１２ＯＨ）と炭素数１４のアルコール（Ｃ１４ＯＨ）との混合物（質量比Ｃ１２ＯＨ／Ｃ１４ＯＨ＝７５／２５）に、平均１５モルのエチレンオキシドが付加されたもの（式（ｂ）中、Ｒ２が炭素数１２のアルキル基または炭素数１４のアルキル基であり、ＸがＯであり、ｓが１５であり、ｔが０であり、Ｒ３が水素原子である化合物）、（ライオンケミカル（株）製、商品名「ＬＭＡＯ−９０」）。
＜任意成分＞
溶剤：ジエチレングリコールモノフェニルエーテル（日本乳化剤株式会社製、商品名「ＰｈＤＧ（９０）」。）
ハイドロトロープ剤：パラトルエンスルホン酸（関東化学社製）。
水：精製水。
【００３３】
［液体洗浄剤の製造］
表１に、各例の液体洗浄剤の組成（配合成分、含有量（単位：質量％））を示す。「バランス」は、各例の液体洗浄剤に含まれる全配合成分の合計の配合量（質量％）が１００質量％となるように水が配合されていることを意味する。
表中、空欄の配合成分がある場合、その配合成分は配合されていない。
表中、配合成分の含有量は純分換算量を示す。
【００３４】
（例１〜１２）
例１〜１０は実施例、例１１、１２は比較例である。
表１に示す組成に従い、（Ａ）成分と、（Ｂ）成分と、任意成分とを、水に加えて混合して各例の液体洗浄剤を製造した。ｐＨ調整剤は、液体洗浄剤のｐＨ（２５℃）が７となる量（表には適量と記す。）を添加した。例１〜１２におけるｐＨ調整剤の添加量はいずれも０〜５．０質量％の範囲内であった。
各例の液体洗浄剤について、固体脂洗浄力を以下の方法で評価した。評価結果を表１に示す。
【００３５】
［固体脂洗浄力の評価］
（１）油汚れ汚垢布の作製
牛脂をクロロホルムで５倍に希釈し、０．０１質量％のオイルレッドを添加した溶液０．０３０ｍＬを、３ｃｍ×３ｃｍに裁断したポリエステルトロピカル布（谷頭商店）に滴下し、室温にて２〜３時間風乾したものを油汚れ汚垢布とした。
（２）洗浄試験
油汚れ汚垢布５枚のそれぞれに対して、同じ液体洗浄剤を、油汚れが付着している領域全体を覆うように０．１２ｍＬ塗布し、５分間静置した。
次いで、１５℃の水道水９００ｍＬを入れたＴｅｒｇ−Ｏ−Ｔｏｍｅｔｅｒ（ＵＮＩＴＥＤ  ＳＴＡＴＥＳ  ＴＥＳＴＩＮＧ社製）に、油汚れ汚垢布５枚と、市販の洗剤（ライオン株式会社製「トップ  ＮＡＮＯＸ」）０．３ｇを入れ、さらに浴比２０倍となるように清浄メリヤス布を入れて、１２０ｒｐｍで１０分間洗浄した。
次いで、洗浄後の油汚れ汚垢布５枚を取り出し、前記油汚れ汚垢布に対して、２槽式洗濯機（三菱電機株式会社製、ＣＷ−Ｃ３０Ａ１型）で３分間流水すすぎを行い、次いで脱水１分間を行った後、風乾した。
（３）固体脂洗浄力の評価
測色色差計（日本電色社製、商品名ＳＥ２０００） を用い、汚れ付着前の原布（ポリエステルトロピカル布）、及び洗浄試験前後の油汚れ汚垢布についてのＺ値をそれぞれ測定し、下式より洗浄率を算出した。この洗浄率の値が大きいほど、洗浄力が高いことを意味する。
洗浄率（％）＝（洗浄後の油汚れ汚垢布のＺ値−洗浄前の油汚れ汚垢布のＺ値）／（原布のＺ値−洗浄前の油汚れ汚垢布のＺ値）×１００
そして、５枚の油汚れ汚垢布について算出した洗浄率の平均値を指標として、下記の評価基準に従い、固体脂洗浄力の評価を行った。洗浄率の平均値が１５％以上であるとき合格と判定する。
（評価基準）
○：洗浄率の平均値が３０％超。
△：洗浄率の平均値１５％以上３０％未満。
×：洗浄率の平均値が１５％未満。
【００３６】
【表１】
2019001837.tif 000006
【００３７】
表１に示すように、本発明を適用した例１〜１０の液体洗浄剤は、固体脂に対して高い洗浄力を示した。
（Ａ）成分を含有しない例１１は固体脂洗浄力が劣った。（Ａ）成分/（Ｂ）成分が３を超える例１２は固体脂洗浄力が劣った。